(57)【特許請求の範囲】
【請求項１】
被加熱物を加熱する加熱部と、
被加熱物の温度を検出する温度センサと、
前記温度センサの信号を入力して前記加熱部の加熱状況を制御する温度調節機能を有した制御回路と、
前記制御回路を操作する入力手段と、
前記加熱部の加熱状態を表示する表示手段と、
温度調節機能の設定を行う設定部とを有し、
前記設定部は、前記加熱部の温度設定を可能とし、かつ、温度が設定されると、予め定められた、設定温度に一対一で対応する調理モードが自動的に設定されるものとし、
前記表示手段は、設定温度とその調理モードを表示し、
前記制御回路は、表示された調理モードにて被加熱物を設定温度になるよう制御する加熱調理器。
【請求項２】
加熱が開始されて所定の時間が経過すると、加熱開始時に設定された調理モードに固定され、
それ以後においては温度調節機能の設定部で設定温度を変更しても調理モードは変更されず、設定温度のみが変更できる請求項１に記載の加熱調理器。
【請求項３】
温度調節機能の設定温度を設定中は加熱をせず、所定の操作で加熱が開始され、
加熱が開始すると加熱開始時に設定された調理モードに固定され、
それ以後においては温度調節機能の設定部で設定温度を変更しても調理モードは変更されず、設定温度のみ変更できる請求項１に記載の加熱調理器。
【請求項４】
温度調節機能の設定部における所定のキーを所定の時間以上押すと予め設定されている設定温度に対応した調理モードを変更できるようにした請求項１〜３のいずれか１項に記載の加熱調理器。
【発明の詳細な説明】
【技術分野】
【０００１】
本発明は、温度調節機能がついた加熱調理器に関するものである。
【背景技術】
【０００２】
従来、この種の加熱調理器で温度調節を行う際は、予め揚げ物や焼き物などの調理モードを入力手段で選んでから加熱動作を行っている（例えば、特許文献１参照）。
【特許文献１】特開平１０−６９９７０号公報
【発明の開示】
【発明が解決しようとする課題】
【０００３】
しかしながら、前記従来の構成では、揚げ物とか焼き物とかの調理モードを予め選択することを前提に構成されていたため、温度調節をすることができる調理モードが増えれば増えるほど、入力手段の設定キーが増えたり、設定操作が煩雑になったりするなどの課題を有していた。
【０００４】
本発明は、前記従来の課題を解決するもので、各種調理の温度調節機能に対して、簡単に設定できる温度調節機能がついた加熱調理器を提供することを目的とする。
【課題を解決するための手段】
【０００５】
前記従来の課題を解決するために、本発明の加熱調理器は、被加熱物を加熱する加熱部と、被加熱物の温度を検出する温度センサと、温度センサの信号を入力して加熱部の加熱状況を制御する温度調節機能を有した制御回路と、制御回路を操作する入力手段と、その状態を表示する表示手段と、温度調節機能の設定部とを有し、温度調節機能の設定部は、加熱部の設定温度の変更と、予め設定温度に一対一で対応した調理モードの設定を可能とし、表示手段にて設定温度とその調理モードを表示し、表示された調理モードにて被加熱物を設定温度になるように加熱するようにしたものである。
【０００６】
これによって、設定温度を決めれば、その温度でよく使用する調理モードが一対一で自動的に設定され、予め調理モードを設定する必要がなく、操作するためのキーを増やしたり、複雑な操作をしたりすることなく、簡単に使用することができる。したがって、各種調理の温度調節機能に対して、簡単に設定できる温度調節機能がついた加熱調理器を提供することができる。
【発明の効果】
【０００７】
本発明の加熱調理器は、各種調理の温度調節機能に対して、簡単に設定できる温度調節機能がついた加熱調理器を提供することができる。
【発明を実施するための最良の形態】
【０００８】
第１の発明は、被加熱物を加熱する加熱部と、被加熱物の温度を検出する温度センサと、温度センサの信号を入力して加熱部の加熱状況を制御する温度調節機能を有した制御回路と、制御回路を操作する入力手段と、加熱部の加熱状態を表示する表示手段と、温度調節機能の設定を行う設定部とを有し、温度調節機能の設定部は、加熱部の温度設定を可能とし、かつ、温度が設定されると、予め定められた、設定温度に一対一で対応する調理モードが自動的に設定されるものとし、表示手段は、設定温度とその調理モードを表示し、制御回路は、表示された調理モードにて被加熱物を設定温度になるよう制御する加熱調理器である。これによって、設定温度を決めれば、その温度でよく使用する調理モードが一対一で自動的に設定され、予め調理モードを設定する必要がなく、操作するためのキーを増やしたり、複雑な操作をしたりすることなく、簡単に使用することができる。したがって、各種調理の温度調節機能に対して、簡単に設定できる温度調節機能がついた加熱調理器を提供することができる。
【０００９】
第２の発明は、特に、第１の発明において、加熱が開始されて所定の時間が経過すると、加熱開始時に設定された調理モードに固定され、それ以後においては温度調節機能の設定部で設定温度を変更しても調理モードは変更されず、設定温度のみが変更できることにより、調理モードが固定されてからは、その調理モードで幅広く温度設定が変えることができ、各種調理モードにおいて料理に対する応用範囲を広くすることができる。
【００１０】
第３の発明は、特に、第１の発明において、温度調節機能の設定温度を設定中は加熱をせず、所定の操作で加熱が開始され、加熱が開始すると加熱開始時に設定された調理モードに固定され、それ以後においては温度調節機能の設定部で設定温度を変更しても調理モードは変更されず、設定温度のみ変更できることにより、調理モードが固定されてからは、その調理モードで幅広く温度設定が変えることができ、各種調理モードにおいて料理に対する応用範囲を広くすることができる。また、加熱する前と加熱中とで温度調節機能の設定部の操作が変わることは、使用者に対して、その変更タイミングを明確にでき、使い勝手も向上する。
【００１１】
第４の発明は、特に、第１〜第３のいずれか１つの発明において、温度調節機能の設定部における所定のキーを所定の時間以上押すと予め設定されている設定温度に対応した調理モードを変更できるようにしたことにより、予め設定している初期の設定温度と調理モードとの組み合わせを変えて使用したい時に、温度調節機能の設定部における所定のキーを所定の時間以上押すと簡単に設定温度に対する調理モードの組み合わせを変更でき、使い勝手が向上する。
【００１２】
以下、本発明の実施の形態について、図面を参照しながら説明する。なお、この実施の形態によって本発明が限定されるものではない。
【００１３】
（実施の形態１）
図１〜図７は、本発明の実施の形態１における加熱調理器として、被加熱物の加熱入力をきめ細かく設定でき、温度調節機能を付加しやすい誘導加熱調理器を例示している。
【００１４】
図１、図２において、加熱部１の位置を本体２の上面の結晶化ガラスなどからなるトッププレート３に印刷などで示している。加熱部１は、トッププレート３の下にある加熱コイル４で構成され、加熱コイル４に高周波電流を流すための制御回路５が電気的に接続されている。加熱部１の上には被加熱物６である鍋、フライパンなどを設置して使用される。
【００１５】
温度センサ７は、被加熱物６の温度を検知するもので、制御回路５と電気的に接続されている。制御回路５は温度センサ７の信号を入力して加熱コイル４への高周波電流を制御する温度調節機能を有している。
【００１６】
トッププレート３の上面手前には、制御回路５を操作して加熱状態を指示する入力手段８と、加熱状態を表示する表示手段９とを形成し、入力手段８と表示手段９はそれぞれ、制御回路５と電気的に接続されている。入力手段８の入力キーは、例えば静電容量を利用したタッチスイッチになっており、キーとしては、通常の加熱の入り切りを行う加熱キー１０と、温度調節機能の入り切りを行う温調キー１１と、加熱出力や設定温度を変える調節キー１２ａ、１２ｂがある。
【００１７】
表示手段９の表示は、トッププレート３の少なくとも表示手段９の箇所は光を通すように構成し、トッププレート３の下に液晶表示部材を設けて行っており、表示手段９には通常の加熱における出力状態を示す出力表示部１３と、温度調節機能の動作時に表示する設定温度表示部１４と、煮物や揚げ物や炒め物などのどの調理における温度調節かを示す調理モード表示部１５と、設定温度に到達前であることを示す予熱中表示部１６が具備されている。したがって、温調キー１１と、調節キー１２ａ、１２ｂと、設定温度表示部１４と、調理モード表示部１５とで、温度調節機能の設定部を形成している。
【００１８】
なお、図１においては、全ての表示内容を明確にするために通常の使用時とは異なる全部の表示を出した状態で示している。
【００１９】
以上のように構成された誘導加熱調理器について、以下その動作、作用を説明する。
【００２０】
まず、通常の加熱は、電源スイッチ（図示せず）を入れ、加熱キー１０を押すと図３のように出力表示部１３が表示され、所定の出力（例えば５の表示であれば１ｋＷの出力）で加熱されることになる。出力を変更したい場合は、調節キー１２ａを押せば出力を高めることができ、調節キー１２ｂを押せば出力を下げることができ、この時、出力表示部１３はその出力に応じた数字までを点灯し、その出力の大きさを表示する。
【００２１】
次に、温度調節機能を使った加熱は、電源スイッチ（図示せず）を入れ、温調キー１１を押すと、図４のように設定温度表示部１４に１８０℃を示す「１８０」の文字が表示され、調理モード表示部１５に揚げ物を示す「揚げ物」の文字が表示され、予熱中表示部１６に「予熱中」の文字が表示され、被加熱物６の鍋が揚げ物の１８０℃で温度調節加熱される。この時、調節キー１２ａを２回押すと、図５のように設定温度表示部１４に２００℃を示す「２００」の文字が表示され、調理モード表示部１５に焼き物を示す「焼き物」の文字が表示され、被加熱物６の鍋が焼き物の２００℃で温度調節加熱される。また、図４の状態から調節キー１２ｂを９回押すと、図６のように設定温度表示部１４に９０℃を示す「９０」の文字が表示され、調理モード表示部１５に煮物を示す「煮物」の文字が表示され、被加熱物６の鍋が煮物の９０℃で温度調節加熱される。
【００２２】
このように、設定温度と調理モードとは、図７に示すように、○印のところで一対一の関係に成っており、設定温度を決めれば、その温度で通常良く使用される調理モードに合わせて温度調節機能が設定されることになり、調理モード設定のための操作が省け、操作性が向上し、また、調理モードを種別して入力するキーも省けるため、入力手段８をシンプルに低コストに構成することができる。
【００２３】
もちろん、各調理モードに合うように温度調節機能を有した制御回路５で温度調節されることになる。例えば、揚げ物は被加熱物６の鍋に油が入っていると想定し、焼き物は被加熱物６にフライパンなどを用いた焼き物状態を想定し、煮物は被加熱物６の鍋に水分が入っていると想定し、制御回路５が温度センサ７の検知信号を基に判断しその状態に合わせて動作する。また、被加熱物６が設定温度になったことを、温度センサ７を介して制御回路５が判断すると「予熱中」の文字が消え、ブザー音などで設定温度到達を使用者に知らせる機能も有している。
【００２４】
このように、本実施の形態では、各種調理モード（煮物、揚げ物、焼き物など）に対する温度調節をする際、どの調理モードの温度調節を使用するかを予め設定することが不要となり、操作するためのキーを増やしたり、複雑な操作をしたりすることなく、簡単に使用することができ、調理モードが増えても操作性は変わらない。したがって、各種調理の温度調節機能に対して、簡単に設定できる温度調節機能がついた加熱調理器を提供することができる。
【００２５】
（実施の形態２）
図８〜図２１は、本発明の実施の形態２における加熱調理器として誘導加熱調理器を例示している。実施の形態１と同一要素については同一符号を付してその説明を省略し、相違点を中心に説明する。
【００２６】
図８において、入力手段８には、加熱の種類を変更するメニューキー１７と、各メニューの加熱の入り切りを行う切／スタートキー１８と、加熱出力や設定温度を変える調節キー１９ａ、１９ｂがある。表示手段９には加熱のメニューを表示するメニュー表示部２０と、通常の加熱における出力状態を示す出力表示部２１と、温度調節機能の動作時に表示する設定温度表示部２２と、煮物や揚げ物や炒め物などのどの調理における温度調節かを示す調理モード表示部２３と、設定温度に到達前であることを示す予熱中表示部２４が具備されている。したがって、メニューキー１７と調節キー１９ａ、１９ｂと設定温度表示部２２と調理モード表示部２３とで、温度調節機能の設定部を形成している。
【００２７】
なお、図８においては、全ての表示内容を明確にするために通常の使用時とは異なる全部の表示を出した状態で示している。
【００２８】
以上のように構成された誘導加熱調理器について、以下その動作、作用を説明する。
【００２９】
まず、通常の加熱は、電源スイッチ（図示せず）を入れると、図９のように表示手段９にはメニュー表示部２０の「▽」記号のみ表示され、メニューキー１７を押しやすくするためのガイドが示される。メニューキー１７を押すと、図１０のようにメニュー表示部２０の「▽」記号が消え、「加熱」と「温調」の文字が表示され、「加熱」の文字が点滅する。この状態で、切／スタートキー１８を押すと、図１１のように、メニュー表示部２０に「加熱」の文字のみが表示され、出力表示部２１が表示され、所定の出力（例えば５の表示であれば１ｋＷの出力）で加熱されることになる。出力を変更したい場合は、調節キー１９ａを押せば出力を高めることができ、調節キー１９ｂを押せば出力を下げることができ、この時、出力表示部２１はその出力に応じた数字までを点灯し、その出力の大きさを表示する。
【００３０】
次に、温度調節機能を使った加熱は、電源スイッチ（図示せず）を入れ、メニューキー１７を１回押し、図１０の状態とし、この状態でもう一度メニューキー１７を押すと、図１２のようにメニュー表示部２０の「加熱」の文字が点滅から点灯に変わり、「温調」の文字が点滅する。この状態で切／スタートキーを押すと、図１３のように、「加熱」の文字が消え、「温調」の文字が点灯表示され、設定温度表示部２２に１８０℃を示す「１８０」の文字が表示され、調理モード表示部２３に揚げ物を示す「揚げ物」の文字が表示され、予熱中表示部２４に「予熱中」の文字を表示し、被加熱物６の鍋が揚げ物の１８０℃で温度調節加熱される。
【００３１】
この時、調節キー１９ａを２回押すと、図１４のように、設定温度表示部２２に２００℃を示す「２００」の文字が表示され、調理モード表示部２３に焼き物を示す「焼き物」の文字が表示され、被加熱物６の鍋が焼き物の２００℃で温度調節加熱される。また、図１３の状態から調節キー１９ｂを９回押すと、図１５のように、設定温度表示部２２に９０℃を示す「９０」の文字が表示され、調理モード表示部１５に煮物を示す「煮物」の文字が表示され、被加熱物６の鍋が煮物の９０℃で温度調節加熱される。
【００３２】
このように、温度設定と調理モードとは実施の形態１と同様に、図７に示すように○印のところで一対一の関係に成っており、調理モード設定のための操作が省け、操作性が向上する。
【００３３】
また、実施の形態１、２に共通することであるが、温度調節の加熱を所定の時間（例えば３分）経過後は、一旦温度調節加熱を停止するまで、設定温度を変更した際は調理モードが固定された状態で、変更できる温度範囲は図１６に示した範囲まで拡大して使うことができる。
【００３４】
図１６の見方としては、○印は初期状態の設定温度と調理モードとの一対一対応の関係、△印は調理モードが固定された状態で変更できる温度の拡大範囲、×印は調理モードが固定された状態でも変更できない温度である。例えば、ステーキなどを焼くとき、表面は２２０℃の焼き物の温度調節で加熱し、裏面を少し低めの１９０℃に温度下げて焼きたい場合でも、温度調節の加熱を所定の時間後は、調理モードは固定されるため、焼き物では２５０℃から１２０℃まで変更でき、調理の幅を広げることができる。もちろん、焼き物の後、揚げ物をする場合もあるが、その場合は、一旦温度調節の加熱を切ることになり、また、初期からの設定になるので焼き物の後の揚げ物も問題なく使用できる。さらに、所定の時間経過後でも変更できない温度を決めているので、例えば、揚げ物は２１０℃では×印となっており、そのような高温の揚げ物は危険で、また調理にも必要がないので設定できないようにしているので、安全性も高い。
【００３５】
さらに、温度調節加熱の初期状態でもどうしても調理モードを変更したい場合は、実施の形態１においては、温調キー１１を所定時間（例えば３秒以上）長押しすると、図１７のように調理モード表示部１５の「煮物」、「揚げ物」、「炒め物」が点灯し、その中で現在選ばれている調理モードが点滅することになり、調節キー１２ａ、１２ｂを使って、変更したい調理モードを選ぶことができる。したがって、調節キー１２ａを１回押すと焼き物を選び、図１８に示すように「焼き物」が点滅することになる。この状態で、温調キー１１を押すと、図１９のように焼き物の調理モードを選び、１８０℃の温度設定で加熱することができる。
【００３６】
また、図１７の状態で、調節キー１２ｂを１回押すと、図２０のように「煮物」が点滅し、この状態で、温調キー１１を押すと、図２１のように煮物の調理モードを選び、１４０℃の温度設定で加熱することになる。この時、煮物の調理モードが１４０℃設定になるのは、調理モードを変更した場合には、図１６の表に合わせて設定温度が変更され、したがって、煮物においては１８０℃の状態がないので、図１６において、一番近い設定温度に変更される。本実施の形態は、予め設定している初期の設定温度と調理モードとの組み合わせを変えて使用したい時に、入力手段８の温調キー１１を所定時間長押しすることで、簡単に設定温度に対する調理モードの組み合わせを変更でき、温度調節加熱を利用した料理の種類を増やすことができ、使い勝手が向上する。
【００３７】
（実施の形態３）
図２２〜図２７は、本発明の実施の形態３における加熱調理器として誘導加熱調理器を例示している。実施の形態１と同一要素については同一符号を付してその説明を省略し、相違点を中心に説明する。
【００３８】
図２２に示すように、本実施の形態においては、４つの加熱部１ａ、１ｂ、１ｃ、１ｄを本体２上部のトッププレート２５に有している。したがって、入力手段８や表示手段９についても、４つ分あり、入力手段８ａ、８ｂ、８ｃ、８ｄや表示手段９ａ、９ｂ、９ｃ、９ｄもそれぞれ４箇所づつ設けられている。したがって、図示はしていないが、４箇所の加熱部１ａ、１ｂ、１ｃ、１ｄに対応した加熱コイル、制御回路、温度センサは本体２内部に設けられている。加熱部周囲の構成においては、実施の形態１と基本的に同様なものである。
【００３９】
また、入力手段８ａ、８ｂ、８ｃ、８ｄおよび表示手段９ａ、９ｂ、９ｃ、９ｄは４箇所同様な構成のため、代表して入力手段８ａ、表示手段９ａについて図２３にて説明する。
【００４０】
トッププレート２５の左手前には、電源スイッチキー２６を設けている。電源スイッチキー２６や入力手段８ａの入力キーは、例えば、静電容量を利用したタッチスイッチになっている。入力手段８ａのキーとしては、加熱の入り切りを行う加熱キー２７と、温度調節機能の選定を行う温調キー２８と、加熱出力や設定温度を変える調節キー２９ａ、２９ｂがある。表示手段９ａの表示は、トッププレート２５の少なくとも表示手段９ａの箇所は光を通すように構成し、トッププレート２５の下に液晶表示部材を設けて行っており、表示手段９ａには、通常の加熱における出力状態を示す表示部と、温度調節機能の動作時に設定温度を示す表示部を兼ねた設定出力温度表示部３０と、煮物や揚げ物や炒め物などのどの調理における温度調節かを示す調理モード表示部３１と、設定温度に到達前であることを示す予熱中表示部３２と、▽表示の操作可能表示３３が具備されている。
【００４１】
したがって、温調キー２８と、調節キー２９ａ、２９ｂと、設定出力温度表示部３０と、調理モード表示部３１とで、温度調節機能の設定部を形成している。
【００４２】
なお、図２３においては、全ての表示内容を明確にするために通常の使用時とは異なる全部の表示を出した状態で示している。
【００４３】
以上のように構成された誘導加熱調理器について、以下その動作、作用を説明する。
【００４４】
まず、通常の加熱は、図２３の電源スイッチキー２６を入れると、図２４に示すように操作可能表示３３が表示される。次に加熱キー２７を押すと、図２５に示すように、設定出力温度表示部３０に「０」の数字が表示され、加熱出力は０ｋＷになる。この加熱出力を高めるのは調節キー２９ａを押すと数字が１づつ大きくなり、５回押せば図２６のように「５」の表示となり、出力は１ｋＷになる。その状態で、調節キー２９ｂを押すと、数字が１づつ小さくなり、出力がさがる。したがって、電源スイッチキー２６を押した後、加熱キー２７を押しただけでは、簡単に出力が入らないよう安全を配慮している。
【００４５】
次に、温度調節機能を使った加熱は、電源スイッチキー２６を入れ、温調キー２８を押すと、図２７のように設定出力温度表示部３０に１８０℃を示す「１８０」の文字が点滅状態で表示され、調理モード表示部３１に揚げ物を示す「揚げ物」の文字が点滅状態で表示され、予熱中表示部３２に「予熱中」の文字が表示される。この状態で、加熱キー２７を押すと、図２８のように、設定出力温度表示部３０に１８０℃を示す「１８０」の文字が点滅から点灯状態に変わり、調理モード表示部１５に揚げ物を示す「揚げ物」の文字の点滅が点灯状態に変わり、温度調節加熱が始まる。したがって、電源スイッチキー２６を押した後、温調キー２８を押しただけでは、簡単に出力が入らないよう安全を配慮している。
【００４６】
また、温度調節加熱が始まると、一旦温度調節加熱を停止するまで、設定温度を変更した際は調理モードが固定された状態で、変更できる温度範囲は図１６に示した範囲まで拡大して使うことができる。例えば、図２８の状態で調節キー２９ａを２回押すと、図２９のように、設定出力温度表示部３０に２００℃を示す「２００」の文字が点灯し、調理モード表示部３１に揚げ物を示す「揚げ物」の文字が点灯し、温度調節加熱が始まる以前では、設定できない揚げ物の設定温度にすることができる。このように、温度調節加熱が始まると、図１６に示す範囲まで、現在加熱中の調理モードで設定温度の幅を広げることができ、使い勝手が向上するとともに、加熱前後で設定状態の違いを使用者が認識し易く便利である。
【００４７】
さらに、図２７において、調節キー２９ａを２回押すと、図３０のように設定出力温度表示部３０に２００℃を示す「２００」の文字が表示され、調理モード表示部３１に焼き物を示す「焼き物」の文字が表示され、被加熱物６の鍋（図示せず）が焼き物の２００℃で温度調節加熱する設定ができる。この状態で、加熱キー２７を押すと、設定出力温度表示部３０に２００℃を示す「２００」の文字が点滅から点灯状態に変わり、調理モード表示部１５に焼き物を示す「焼き物」の文字の点滅が点灯状態に変わり、温度調節加熱が始まる。
【００４８】
また、図２７の状態から調節キー２９ｂを９回押すと、図３１のように設定出力温度表示部３０に９０℃を示す「９０」の文字が表示され、調理モード表示部３１に煮物を示す「煮物」の文字が表示され、被加熱物６の鍋（図示せず）が煮物の９０℃で温度調節加熱する設定ができる。この状態で、加熱キー２７を押すと、設定出力温度表示部３０に９０℃を示す「９０」の文字が点滅から点灯状態に変わり、調理モード表示部１５に煮物を示す「煮物」の文字の点滅が点灯状態に変わり、温度調節加熱が始まる。このように、温度設定と調理モードとは、図７に示すように○印のところで一対一の関係に成っており、設定温度を決めれば、その温度で通常良く使用される調理モードに合わせて温度調節機能が設定されることになり、調理モード設定のための操作が省け、操作性が向上し、また、調理モードを種別して入力するキーも省けるため、入力手段８ａをシンプルに低コストに構成することができる。
【００４９】
また、本実施の形態におけるように、本体に複数の加熱部を有する場合は、当然、入力手段や表示手段も複数分必要となり、入力手段や表示手段の面積が取れないという問題が発生するが、本実施の形態では、通常加熱時の出力表示と温度調節加熱の出力表示部を設定出力温度表示部３０で共用する工夫をしており、表示手段の面積を少なくすることができる。
【００５０】
なお、本実施の形態１〜３において、加熱調理器を誘導加熱調理器の例で示したが、電気ヒーターやガスによる加熱調理器でも良い。要は温度調節機能があり、設定温度と調理モードとを一対一に対応させた加熱調理器ならば同様の効果を得ることができる。
【００５１】
また、本実施の形態１〜３において、表示手段に液晶による表示を用いたが、ＬＥＤによる表示でも良く、要は設定温度と調理モードの内容が表示されれば良い。
【００５２】
さらに、本実施の形態１〜３において、入力手段に静電容量を利用したタッチキーを用いたが、メンブレム方式のタッチキーや圧電素子によるタッチキーやロータリーなどの回転式のスイッチでも良く、要は、設定温度の設定ができるものであれば良い。
【００５３】
また、本実施の形態１〜３において、図７や図１６において設定温度と調理モードとの関係を示したが、一例であり、変更しても良い。もちろん、調理モードの数や内容についても変更しても良い。特に、調理モードの種類が増えた場合は、本発明の加熱調理器は、より効果的になるのは言うまでもない。
【００５４】
さらに、本実施の形態１〜３において、温度設定の最初は１８０℃の揚げ物設定からになっているが、どこの温度からはじめても良い。
【００５５】
また、本実施の形態１〜３において、設定温度を設定すると調理モードが設定できるが、調理モードの切り替えスイッチを追加して設け、調理モードを変えたい時には、調理モードの切り替えスイッチを併用して利用することができるようにしても良い。これにより、使用者は設定温度を設定すれば、その温度でよく使用される調理モードに設定できるとともに、万一調理モードの設定を変えたいときには、追加した調理モードの切り替えスイッチを使うことができる。
【産業上の利用可能性】
【００５６】
以上のように、本発明にかかる加熱調理器は、各種調理の温度調節機能に対して、簡単に設定できる温度調節機能がついた加熱調理器を提供することができるので、熱源に関係なく加熱調理器全般に適用できる。
【図面の簡単な説明】
【００５７】
【図１】本発明の実施の形態１における加熱調理器の平面図
【図２】同加熱調理器の断面図
【図３】同加熱調理器の表示手段における表示状態１を示す平面図
【図４】同加熱調理器の表示手段における表示状態２を示す平面図
【図５】同加熱調理器の表示手段における表示状態３を示す平面図
【図６】同加熱調理器の表示手段における表示状態４を示す平面図
【図７】同加熱調理器の調理モードと設定温度との関係を示す図
【図８】本発明の実施の形態２における加熱調理器の平面図
【図９】同加熱調理器の表示手段における表示状態１を示す平面図
【図１０】同加熱調理器の表示手段における表示状態２を示す平面図
【図１１】同加熱調理器の表示手段における表示状態３を示す平面図
【図１２】同加熱調理器の表示手段における表示状態４を示す平面図
【図１３】同加熱調理器の表示手段における表示状態５を示す平面図
【図１４】同加熱調理器の表示手段における表示状態６を示す平面図
【図１５】同加熱調理器の表示手段における表示状態７を示す平面図
【図１６】同加熱調理器の調理モードと設定温度との関係を示す図
【図１７】同加熱調理器の表示手段における表示状態８を示す平面図
【図１８】同加熱調理器の表示手段における表示状態９を示す平面図
【図１９】同加熱調理器の表示手段における表示状態１０を示す平面図
【図２０】同加熱調理器の表示手段における表示状態１１を示す平面図
【図２１】同加熱調理器の表示手段における表示状態１２を示す平面図
【図２２】本発明の実施の形態３における加熱調理器の平面図
【図２３】同加熱調理器の入力手段と表示手段の一部を示す平面図
【図２４】同加熱調理器の表示手段における表示状態１を示す平面図
【図２５】同加熱調理器の表示手段における表示状態２を示す平面図
【図２６】同加熱調理器の表示手段における表示状態３を示す平面図
【図２７】同加熱調理器の表示手段における表示状態４を示す平面図
【図２８】同加熱調理器の表示手段における表示状態５を示す平面図
【図２９】同加熱調理器の表示手段における表示状態６を示す平面図
【図３０】同加熱調理器の表示手段における表示状態７を示す平面図
【図３１】同加熱調理器の表示手段における表示状態８を示す平面図
【符号の説明】
【００５８】
１、１ａ、１ｂ、１ｃ、１ｄ  加熱部
２  本体
５  制御回路
６  被加熱物
７  温度センサ
８、８ａ、８ｂ、８ｃ、８ｄ  入力手段
９、９ａ、９ｂ、９ｃ、９ｄ  表示手段
１１、２８  温調キー
１２ａ、１２ｂ、１９ａ、１９ｂ、２９ａ、２９ｂ  調節キー
１４、２２  設定温度表示部
１５、２３、３１  調理モード表示部
１７  メニューキー
３０  設定出力温度表示部
【図１】
0005194710.tif 000002
【図２】
0005194710.tif 000003
【図３】
0005194710.tif 000004
【図４】
0005194710.tif 000005
【図５】
0005194710.tif 000006
【図６】
0005194710.tif 000007
【図７】
0005194710.tif 000008
【図８】
0005194710.tif 000009
【図９】
0005194710.tif 000010
【図１０】
0005194710.tif 000011
【図１１】
0005194710.tif 000012
【図１２】
0005194710.tif 000013
【図１３】
0005194710.tif 000014
【図１４】
0005194710.tif 000015
【図１５】
0005194710.tif 000016
【図１６】
0005194710.tif 000017
【図１７】
0005194710.tif 000018
【図１８】
0005194710.tif 000019
【図１９】
0005194710.tif 000020
【図２０】
0005194710.tif 000021
【図２１】
0005194710.tif 000022
【図２２】
0005194710.tif 000023
【図２３】
0005194710.tif 000024
【図２４】
0005194710.tif 000025
【図２５】
0005194710.tif 000026
【図２６】
0005194710.tif 000027
【図２７】
0005194710.tif 000028
【図２８】
0005194710.tif 000029
【図２９】
0005194710.tif 000030
【図３０】
0005194710.tif 000031
【図３１】
0005194710.tif 000032